(57)【要約】【課題】撓みの防止を実現することができる照明装置を提供する。【解決手段】照明装置は、矩形状の天板及び天板の一対の縁部に沿って設けられた側板で囲まれた空間にＬＥＤからなる光源を備える。照明装置は、ＬＥＤからの出射光を透過し、出射光の出射方向から見て矩形状をなす光透過部材と、パネル部材と、空間内でＬＥＤによる発光部を仕切る仕切部材とを備え、光透過部材の縁部を仕切部材で係止するようにしてあり、光透過部材及びパネル部材は、記天板に対向して側板に装着してある。【選択図】図１
2015181125.tif 000002
【特許請求の範囲】
【請求項１】
矩形状の天板及び該天板の一対の縁部に沿って設けられた側板で囲まれた空間にＬＥＤからなる光源を備える照明装置において、
前記ＬＥＤからの出射光を透過し、該出射光の出射方向から見て矩形状をなす光透過部材と、
パネル部材と、
前記空間内で前記ＬＥＤによる発光部を仕切る仕切部材と
を備え、
前記光透過部材の縁部を前記仕切部材で係止するようにしてあり、
前記光透過部材及びパネル部材は、
前記天板に対向して前記側板に装着してあることを特徴とする照明装置。
【請求項２】
前記側板及び天板のいずれか一方の板厚は他方より厚いことを特徴とする請求項１に記載の照明装置。
【請求項３】
前記側板の板厚は、前記天板の板厚より厚いことを特徴とする請求項１又は請求項２に記載の照明装置。
【請求項４】
前記側板は、複数の板材を重ねて固定してあることを特徴とする請求項１から請求項３までのいずれか１項に記載の照明装置。
【発明の詳細な説明】
【技術分野】
【０００１】
本発明は、照明装置に関し、特に照明装置本体が矩形状をなす照明装置に関する。
【背景技術】
【０００２】
近年、省電力化及び長寿命化に優れているとして蛍光灯や白熱灯に替わって発光ダイオード（ＬＥＤ）などを光源とする照明装置の開発が行われており、これらの照明装置は、住宅用の照明に限らず、オフィス又は店舗用の照明などに広く用いられつつある。
【０００３】
例えば、店舗等で商品等の照明に用いられるＬＥＤ照明装置として、断面がコ字状で長尺な取付ベースと、取付ベースの上部に嵌合される蓋部とを有し、蓋部に多数のＬＥＤを配設することにより、取付ベース又は蓋部として市販の配線レールの部品を流用してコストダウンを図ることができるＬＥＤ照明器具が開示されている（特許文献１参照）。
【先行技術文献】
【特許文献】
【０００４】
【特許文献１】特開２００５−１９２９９号公報
【発明の概要】
【発明が解決しようとする課題】
【０００５】
しかしながら、特許文献１に開示された照明装置にあっては、取付ベースは断面がコ字状であって長尺をなすので、撓みやすく壁面等の設置面への取付時の作業性が悪い。また、照明装置としての十分な強度を持たせるためには、取付ベースの肉厚を厚くしなければならず、肉厚を厚くした場合には照明装置が重くなり、取付時の作業性が良くない。
【０００６】
本発明は斯かる事情に鑑みてなされたものであり、撓みの防止を実現することができる照明装置を提供することを目的とする。
【課題を解決するための手段】
【０００７】
本発明に係る照明装置は、矩形状の天板及び該天板の一対の縁部に沿って設けられた側板で囲まれた空間にＬＥＤからなる光源を備える照明装置において、前記ＬＥＤからの出射光を透過し、該出射光の出射方向から見て矩形状をなす光透過部材と、パネル部材と、前記空間内で前記ＬＥＤによる発光部を仕切る仕切部材とを備え、前記光透過部材の縁部を前記仕切部材で係止するようにしてあり、前記光透過部材及びパネル部材は、前記天板に対向して前記側板に装着してあることを特徴とする。
【０００８】
本発明に係る照明装置は、前記側板及び天板のいずれか一方の板厚は他方より厚いことを特徴とする。
【０００９】
本発明に係る照明装置は、前記側板の板厚は、前記天板の板厚より厚いことを特徴とする。
【００１０】
本発明に係る照明装置は、前記側板は、複数の板材を重ねて固定してあることを特徴とする。
【発明の効果】
【００１１】
本発明によれば、撓みの防止を実現することができる。
【図面の簡単な説明】
【００１２】
【図１】本実施の形態の照明装置の発光面側から見た外観斜視図である。
【図２】本実施の形態の照明装置の一の設置例を天井面側から見た平面図である。
【図３】図２のＩＩＩ−ＩＩＩ線の要部断面図である。
【図４】図２のＩＶ−ＩＶ線の断面図である。
【図５】本実施の形態の照明装置の短辺方向から見た要部断面図である。
【図６】本実施の形態の照明装置の長辺方向から見た要部断面図である。
【図７】本実施の形態の照明装置の他の設置例を天井面側から見た平面図である。
【図８】本実施の形態の照明装置の他の設置例を長手方向から見た要部断面図である。
【発明を実施するための形態】
【００１３】
以下、本発明をその実施の形態を示す図面に基づいて説明する。図１は本実施の形態の照明装置１００の発光面側から見た外観斜視図であり、図２は本実施の形態の照明装置１００の一の設置例を天井面側から見た平面図であり、図３は図２のＩＩＩ−ＩＩＩ線の要部断面図であり、図４は図２のＩＶ−ＩＶ線の断面図である。本実施の形態の照明装置１００は、天井Ｔバーシステムと称される天井構造に取り付けことができるものであり、天井等から垂設された断面形状が逆Ｔ字形状の細長いＴバーに固定される。図２は照明装置１００をＴバー２００に取り付けた状態を示す。なお、照明装置１００は、Ｔバーに固定する照明装置に限定されるものではない。
【００１４】
図１に示すように、照明装置１００は、矩形状の天板２１及び天板２１の長辺側の各縁部に沿って垂設された側板２２、２２を有する金属製のシャーシ２０を備える。天板２１の長辺側の寸法（長さ）は、例えば、１６００ｍｍであり、天板２１の短辺側の寸法（幅）は、例えば、１２０ｍｍである。また、側板２２の幅は、例えば、２０ｍｍである。なお、シャーシ２０の寸法はこれに限定されるものではない。
【００１５】
シャーシ２０の中央部には、側板２２、２２間に架設され、光源からの出射光を透過する光透過板としての透光カバー１０を装着するようにしてある。透光カバー１０は、天板２１と同程度の幅寸法を有する矩形状をなす。また、透光カバー１０の厚みは、例えば、１．５ｍｍである。透光カバー１０を間にして、シャーシ２０の両端側には、空調、スプリンクラー、非常灯などの他の設備を設けるスペースがあり、他の設備用のパネル１１、１２を装着するようにしてある。
【００１６】
シャーシ２０の上面、すなわち天板２１の上面には、後述の光源に電力を供給するための電源部５０を設けてある。また、シャーシ２０の両端側、例えば、透光カバー１０とパネル１１、１２との境界付近には、照明装置１００をＴバー２００に固定するため、金属製であってシャーシ２０の幅寸法と略同寸法の長さを有する略Ｕ字状の固定金具６０、６０を取り付けてある。
【００１７】
図２及び図３に示すように、天板２１及び側板２２、２２で囲まれる空間には、矩形状の基板３０に複数実装した光源としてのＬＥＤモジュール３１を配置してある。具体的には、複数のＬＥＤモジュール３１を実装した基板３０を、ビス４１、４２で天板２１に固定する。基板３０は、天板２１の長辺方向（長さ方向）に沿って、４つ並べて配置してある。なお、基板３０の数、配置方法、ＬＥＤモジュール３０の数、配置方法は適宜決定することができる。
【００１８】
基板３０には、ＬＥＤモジュール３１に電力を供給するための配線パターンが施されてあり、基板３０に装着されたコネクタ（不図示）により、基板３０同士を電気的に接続することができるとともに、電源部５０からの配線（不図示）を基板３０に接続することができる。
【００１９】
透光カバー１０とパネル１２との境界付近には、天板２１及び側板２２、２２で囲まれる空間を仕切るため、天板２１の幅と略同寸法の長さを有する仕切板７０を天板２１から垂設してある。仕切板７０により、ＬＥＤモジュール３１による発光部と、設備を装着する設備部とを区切ることができる。
【００２０】
図４に示すように、略Ｕ字状の固定金具６０の両端側には、Ｔバー２００の上側部２０２を覆うように略Ｕ字状の引掛け部６１を形成してある。適長離隔して平行に設けられた２つのＴバー２００それぞれの逆Ｔ字状のレール部２０１の内側縁部に照明装置１００の側板２２の長手側の縁部を載置する。そして、固定金具６０の引掛け部６１をＴバーの上側部２０２に引掛けることにより、照明装置１００をＴバー２００に取り付けることができる。
【００２１】
基板３０表面には、長さが基板３０の長さの略４倍の長さ、幅が天板２１の幅より大きい（広幅の）反射板としての反射シート８０を装着してある。反射シート８０は、例えば、反射率の高い塗料を塗布した合成樹脂製のシートである。反射シート８０を金属ではなく合成樹脂製にするとともに、シートの厚みを薄くすることにより、天板と略同程度の広い面積を有する反射シートを軽くして照明装置１００の軽量化に資することができる。
【００２２】
また、反射シート８０は、ＬＥＤモジュール３１の実装位置に合わせて、ＬＥＤモジュール３１の平面視の寸法と同程度の開口を有し、当該開口にＬＥＤモジュール３１を挿通させるようにして反射シート８０を基板３０に装着してある。これにより、ＬＥＤモジュール３１からの光を透光カバー１０の方向へ反射させることができる。
【００２３】
反射シート８０の長辺側の両側端部は屈曲させてあり、反射シート８０と天板２１及び側板２２とで囲まれ、断面形状が三角形状の収容空間２５を設けてある。収容空間２５には、後述の配線を収容する。また、反射シート８０の長辺側の縁部は、側板２２に当接するようにしてあり、ＬＥＤモジュール３１からの光が側板２２の方へ漏れることなく透光カバー１０の方向へ反射するようにしてある。
【００２４】
図５は本実施の形態の照明装置１００の短辺方向から見た要部断面図である。図５は図４で示す断面図のうち、シャーシ２０の長手側の要部断面を示す。図５に示すように、天板２１の板厚をｄ１、側板２２の板厚をｄ２とすると、ｄ２＞ｄ１としている。すなわち、側板２２の板厚ｄ２を天板２１の板厚ｄ１より厚くしてある。
【００２５】
上述のとおり、一例として、天板２１及び側板２２の長さは１６００ｍｍであり、天板２１の幅は１２０ｍｍであり、側板２２の幅は２０ｍｍである。このように、側板２２の幅に比べて天板２１の幅を比較的大きく（上述の例では、６倍）した場合には、図５に示すように、側板２２の板厚ｄ２を天板２１の板厚ｄ１より厚くすることにより、天板２１の重量を小さくして、照明装置１００を軽量化することができる。同時に、側板２２を天板２１の厚さより厚くすることにより、強度を強くしてシャーシ２０、特に側板２２の撓みを防止することができる。
【００２６】
照明装置１００を軽量化することができるので、照明装置１０をＴバー２００に取り付ける際の作業性が向上する。また、照明装置１００の軽量化により、自重によるシャーシ２０への荷重を軽減することができ、撓みを防止することができる。さらにまた、照明装置１００の撓みを防止することができるので、照明装置１０をＴバー２００に取り付ける際の作業性が向上する。
【００２７】
また、図４、図５に示すように、照明装置１００は、側板２２をＴバー２００に載置して取り付ける構造であるので、照明装置１００全体の重量が側板２２に加わる。このため、側板２２の板厚を厚くすることにより、軽量化を図りつつ照明装置１００全体の強度を高めることができる。
【００２８】
また、図１、図２に示すように、天板２１の幅を大きくした場合、シャーシ２０の内部に配設するＬＥＤモジュール３１の数を多くすることができるとともに、発光面（透光カバー１０の面積）を大きくすることができる。このような場合でも、側板２２の板厚を天板２１の板厚より厚くすることにより、天板２１の板厚が側板２２より薄くなり軽量化を図ることができるとともに、側板２２の板厚を厚くして強度を強くして撓みを防止することができる。
【００２９】
図５の例では、側板２２は、一体構造をなすように例示されているが、これに限定されるものではなく、例えば、天板２１と同じ板厚の側板に、さらに別の側板をスポット溶接又は螺子止め等により重ねて固定することにより、側板全体の板厚を天板の板厚より厚くするようにしてもよい。
【００３０】
なお、天板と側板の板厚の関係は、図５の例に限定されるものではなく、例えば、天板２１の幅が、１６００ｍｍではなく、もっと小さい場合であって、かつ側板２２の幅より大きい場合には、側板２２よりも天板２１の板厚を厚くすることもできる。これにより、天板及び側板の板厚を同じ厚みにする場合に比べて、撓みの防止と軽量化とを実現することができる。
【００３１】
図５に示すように、側板２２の長辺方向に沿った端部近傍には、側板２２の板厚より厚い肉厚の凸部２２１を天板２１の長手方向（横方向）に沿って設けてある。凸部２２１には、透光カバー１０の長辺側の縁部が嵌合する溝２２３を設けてある。溝２２３の幅は、例えば、１．８ｍｍとすることができる。透光カバー１０の厚みが１．５ｍｍである場合、溝２２３と透光カバー１０との間で０．３ｍｍ程度の隙間を設けることができ、透光カバー１０を装着しやすくすることができる。
【００３２】
側板２２の板厚より厚い肉厚の凸部２２１を天板２１の長手方向に沿って設けることにより、側板２２に対する曲げ又は撓みに対する強度が強くなり、撓みを防止することができる。また、透光カバー１０の長辺側の両縁部を溝２２３に嵌合させることにより、透光カバー１０の撓みも防止することができる。これにより、透光カバー１０が撓むことで生じる隙間から害虫や埃が照明装置１００内部に侵入することを防止することができる。
【００３３】
また、図５に示すように、反射シート８０両側端側を屈曲させて天板２１及び側板２２とで囲まれる収容空間２５を設け、電源部５０から基板３０への配線５１、あるいは基板３０同士を接続する配線（不図示）などを収容空間２５に収容する。
【００３４】
すなわち、反射シート８０の両側端側を屈曲させることにより、反射シート８０、天板２１及び側板２２とで囲まれる断面形状が、例えば、三角形状をなす収容空間２５を設ける。そして、基板３０に接続され、ＬＥＤモジュール３１に電力を供給するための配線５１を収容空間２５、すなわち、反射シート８０の反射面の反対側（反射シート８０の裏側）に収容することにより、配線５１等がＬＥＤモジュール３１からの光を妨げることを防止して光の取り出し効率を向上させることができる。また、配線による影等の発生を防止することができるので、透光カバー１０に影等による光のムラが生じることを防止できる。
【００３５】
また、図５に示すように、仕切板７０と側板２２との間を充填する充填部材７２を設ける。充填部材７２は、例えば、ポリウレタンフォーム、ポリエチレンフォーム又はゴム等の可撓性を有する材料を用いることができる。充填部材７２は、仕切板７０の側板２２に沿った縁部を覆うように取り付けることができる。
【００３６】
仕切板７０と側板２２との間を充填部材７２で充填することにより、天板２１及び側板２２で囲まれ、ＬＥＤモジュール３１を配置した空間に外部から虫等の侵入を防止することができ、透光カバー１０に虫等の異物による光のムラが生じることを防止できる。
【００３７】
図６は本実施の形態の照明装置１００の長辺方向から見た要部断面図である。図６は仕切板７０の付近の要部断面を示す。図６に示すように、透光カバー１０は、長辺側の両縁部が、側板２２の凸部２２１に設けられた溝２２３に嵌合するように装着されている。そして、図６に示すように、仕切板７０は、断面形状が略Ｌ字状をなし、Ｌ字状の一方の面体７２を天板２１にビス等で固定して天板２１から立設するようにしてある。そして、係止板７０は、透光カバー１０の短辺側の縁部を係止し、透光カバー１０の幅と略同寸法の長さを有する係止部７１を有する。透光カバー１０の短辺側の縁部を係止することができるので、透光カバー１０の撓みをさらに防止することができる。
【００３８】
上述の例では、Ｔバー２００は、照明装置１００の長辺方向に沿って平行に配設された構造、すなわち、Ｔバー２００同士の間隔が比較的短い場合の照明装置１００の設置例を示した。照明装置１００のＴバー２００への設置例は、上述の例に限定されるものではない。
【００３９】
図７は本実施の形態の照明装置１００の他の設置例を天井面側から見た平面図であり、図８は本実施の形態の照明装置１００の他の設置例を長辺方向から見た要部断面図である。図７、図８に示すように、天板２１の両端部近傍に、照明装置１００をＴバー２００に固定するため、金属製であって略Ｌ字状の固定金具９０、９１を取り付けてある。
【００４０】
図８に示すように、略Ｌ字状の固定金具９１の端側には、Ｔバー２００の上側部２０２を覆うように略Ｕ字状の引掛け部９１１を形成してある。固定金具９０も同様の構成をなす。適長離隔して平行に設けられた２つのＴバー２００それぞれの逆Ｔ字状のレール部２０１の内側縁部に照明装置１００の側板２２の短辺側の縁部を載置する。そして、固定金具９０、９１の引掛け部９１１をＴバーの上側部２０２に引掛けることにより、照明装置１００をＴバー２００に取り付けることができる。
【００４１】
照明装置は、Ｔバーに固定するものに限定されるものではなく、天井面、壁面などの設置面に取り付けるものでもよい。また、上述の実施の形態では光源としてＬＥＤモジュールを備える例で説明したが、光源はＬＥＤモジュールに限定されるものではなく、ＥＬ（Electro-Luminescence）など他の光源でもよい。
【符号の説明】
【００４２】
１０  透光カバー
２０  シャーシ
２１  天板
２２  側板
２２１  凸部
２２３  溝
２５  収容空間
３０  基板
３１  ＬＥＤモジュール
５０  電源部
５１  配線
６０、９０、９１  固定金具
７０  仕切板
７１  係止部
７２  充填部材
８０  反射シート
【図１】
2015181125.tif 000003
【図２】
2015181125.tif 000004
【図３】
2015181125.tif 000005
【図４】
2015181125.tif 000006
【図５】
2015181125.tif 000007
【図６】
2015181125.tif 000008
【図７】
2015181125.tif 000009
【図８】
2015181125.tif 000010